(57)【特許請求の範囲】
【請求項１】
四角筒状の柱と梁を仕口部材によって接合してなる柱梁接合構造であって、
前記仕口部材は、前記柱と梁の延長上の交差部に配置される略直方体状の柱梁接合部材と、
この柱梁接合部材の下端面に接合される柱接合部材と、
前記柱梁接合部材の少なくとも１つの側面に接合される梁接合部材とを備え、
前記柱接合部材は、前記柱梁接合部材の下端面の四隅部に設けられた受部にそれぞれ接合される４つの柱接合用箱形金物を４つの連結部材によって四角形枠状に連結して構成され、
前記梁接合部材は、前記柱梁接合部材の側面の四隅部に設けられた受部にそれぞれ接合される４つの梁接合用箱形金物を４つの連結部材によって四角形枠状に連結して構成され、
前記柱接合部材は、前記各柱接合用箱形金物の上端部壁を前記柱梁接合部材の下端面の前記受部に当接したうえで、前記上端部壁と前記受部とをボルト接合することによって、前記柱梁接合部材に接合され、
前記梁接合部材は、前記各梁接合用箱形金物の一方の端部壁を前記柱梁接合部材の側面の前記受部に当接したうえで、前記一方の端壁部と前記受部とをボルト接合することによって、前記柱梁接合部材に接合され、
前記柱は、その上端面を前記柱接合用箱形金物の下端部壁に当接したうえで、前記柱の上端部と前記下端部壁とをボルト接合することによって、前記柱接合部材に接合され、
前記梁は、その端面を前記梁接合用箱形金物の他方の端部壁に当接したうえで、前記梁の端部と前記他方の端部壁とをボルト接合することによって、前記梁接合部材に接合されていることを特徴とする柱梁接合構造。
【請求項２】
請求項１に記載の柱梁接合構造において、
前記柱接合用箱形金物の少なくとも１つの側面に開口部が形成され、
この開口部から連結ボルトが前記柱接合用箱形金物の内部に挿入され、この連結ボルトが前記柱接合用箱形金物の前記上端部壁を通して、前記受部にねじ込まれるとによって、前記柱接合部材が前記柱梁接合部材に接合され、
前記梁接合用箱形金物の少なくとも１つの側面に開口部が形成され、
この開口部から連結ボルトが前記梁接合用箱形金物の内部に挿入され、この連結ボルトが前記梁接合用箱形金物の前記一方の端壁部を通して、前記受部にねじ込まれるとによって、前記梁接合部材が前記柱梁接合部材に接合されていることを特徴とする柱梁接合構造。
【請求項３】
請求項１または２に記載の柱梁接合構造において、
前記柱の上端部に、連結ボルトがその上端部を前記柱の上端面から突出させるようにして挿入固定され、
前記連結ボルトの上端部が前記柱接合用箱形金物の下端部壁から当該柱接合用箱形金物の内部に挿入され、前記連結ボルトにナットを螺合して締め付けることによって、前記柱が前記柱接合部材に接合され、
前記梁の端部に、連結ボルトがその端部を前記梁の端面から突出させるようにして挿入固定され、
前記連結ボルトの端部が前記梁接合用箱形金物の端部壁から当該梁接合用箱形金物の内部に挿入され、前記連結ボルトにナットを螺合して締め付けることによって、前記梁が前記梁接合部材に接合されていることを特徴とする柱梁接合構造。
【請求項４】
請求項１〜３のいずれか一項に記載の柱梁接合構造において、
前記柱接合部材の前記連結部材は、前記柱接合用箱形金物の下面と面一となる接合面を有しており、この接合面が前記柱の上端面に接合され、
前記梁接合部材の前記連結部材は、前記梁接合用箱形金物の端面と面一となる接合面を有し、この接合面が前記梁の端面に接合されていることを特徴とする柱梁接合構造。
【請求項５】
請求項１〜４のいずれか一項に記載の柱梁接合構造において、
前記柱梁接合部材は、その８つの角部にそれぞれ直方体状の受ブロックを有し、
８個の前記受ブロックの外側を向く側面部は、前記柱梁接合部材の側面の四隅部に設けられた受部を構成し、
前記柱梁接合部材の下の４つの受ブロックの下面部は、前記柱梁接合部材の下端面の四隅部に設けられた受部を構成していることを特徴とする柱梁接合構造。
【発明の詳細な説明】
【技術分野】
【０００１】
本発明は、柱梁接合構造に関する。
【背景技術】
【０００２】
在来工法における柱と梁の接合は、例えば木材の接合部を切削加工した凹凸仕口によって行われていたが、近年では、例えば、特許文献１に記載のような接合金物を用いた技術が提案されている。このような技術によれば、木材の接合部を切削加工する手間やコストを省きながら、柱と梁の接合部を強化して耐震強度を向上できるようになっている。
【先行技術文献】
【特許文献】
【０００３】
【特許文献１】特開２００２−０１３１９９号公報
【発明の概要】
【発明が解決しようとする課題】
【０００４】
ところで、例えば接合金物と柱、接合金物と梁とを接合するためのピンをより多く使用して、柱と梁の接合部をより強化したいという要望があるが、ピンが挿入される孔を多数形成したり、多数のピンを打ち込んだりする手間やコストが増加する場合があり、好ましくない。そこで、このように多くのピンを使用せずとも、柱と梁とを容易かつ強固に接合できる技術の開発が望まれていた。
【０００５】
本発明は上記事情に鑑みてなされたもので、柱と梁とを容易かつ強固に接合できる柱梁接合構造を提供することを提供することを課題としている。
【課題を解決するための手段】
【０００６】
上記課題を解決するために、請求項１に記載の発明は、図１、図１１〜図１４に示すように、四角筒状の柱１と梁２を仕口部材４によって接合してなる柱梁接合構造であって、
前記仕口部材４は、前記柱１と梁２の延長上の交差部に配置される略直方体状の柱梁接合部材１０と、
この柱梁接合部材１０の下端面に接合される柱接合部材１１と、
前記柱梁接合部材１０の少なくとも１つの側面に接合される梁接合部材１２とを備え、
前記柱接合部材１１は、前記柱梁接合部材１０の下端面の四隅部に設けられた受部１３ｄにそれぞれ接合される４つの柱接合用箱形金物１７を４つの連結部材１８によって四角形枠状に連結して構成され、
前記梁接合部材１２は、前記柱梁接合部材１０の側面の四隅部に設けられた受部１３ｂにそれぞれ接合される４つの梁接合用箱形金物２７を４つの連結部材２８，２９によって四角形枠状に連結して構成され、
前記柱接合部材１１は、前記各柱接合用箱形金物１７の上端部壁１７ｂを前記柱梁接合部材１０の下端面の前記受部１３ｄに当接したうえで、前記上端部壁１７ｂと前記受部１３ｄとをボルト接合することによって、前記柱梁接合部材１０に接合され、
前記梁接合部材１２は、前記各梁接合用箱形金物２７の一方の端部壁２７ｂを前記柱梁接合部材１０の側面の前記受部１３ｂに当接したうえで、前記一方の端壁部２７ｂと前記受部１３ｂとをボルト接合することによって、前記柱梁接合部材１０に接合され、
前記柱１は、その上端面を前記柱接合用箱形金物１７の下端部壁１７ｂに当接したうえで、前記柱１の上端部と前記下端部壁１７ｂとをボルト接合することによって、前記柱接合部材１１に接合され、
前記梁２は、その端面を前記梁接合用箱形金物２７の他方の端部壁２７ｂに当接したうえで、前記梁２の端部と前記他方の端部壁２７ｂとをボルト接合することによって、前記梁接合部材１２に接合されていることを特徴とする。
【０００７】
請求項１に記載の発明によれば、柱接合部材１１は、各柱接合用箱形金物１７の上端部壁１７ｂを柱梁接合部材１０の下端面の受部１３ｄに当接したうえで、前記上端部壁１７ｂと前記受部１３ｄとをボルト接合することによって、前記柱梁接合部材１０に接合され、柱１は、その上端面を前記柱接合用箱形金物１７の下端部壁１７ｂに当接したうえで、前記柱１の上端部と前記下端部壁１７ｂとをボルト接合することによって、前記柱接合部材１１に接合されているので、柱１を柱接合部材１１を介して柱梁接合部材１０に接合できる。
また、梁接合部材１２は、各梁接合用箱形金物２７の一方の端部壁２７ｂを柱梁接合部材１０の側面の受部１３ｂに当接したうえで、前記一方の端壁部２７ｂと前記受部１３ｂとをボルト接合することによって、前記柱梁接合部材１０に接合され、梁２は、その端面を前記梁接合用箱形金物２７の他方の端部壁２７ｂに当接したうえで、前記梁２の端部と前記他方の端部壁２７ｂとをボルト接合することによって、前記梁接合部材１２に接合されているので、梁２を梁接合部材１２を介して柱梁接合部材１０に接合できる。
このように、柱１と梁２は、それぞれ柱接合部材１１と梁接合部材１２を介して柱梁接合部材１０にボルト接合されているので、柱１と梁２を容易かつ強固に接合することができる。
【０００８】
請求項２に記載の発明は、例えば図３、図５、図７、図１１〜図１４に示すように請求項１に記載の柱梁接合構造において、
前記柱接合用箱形金物１７の少なくとも１つの側面に開口部１７ｃが形成され、
この開口部１７ｃから連結ボルト２５が前記柱接合用箱形金物１７の内部に挿入され、この連結ボルト２５が前記柱接合用箱形金物１７の前記上端部壁１７ｂを通して、前記受部１３ｄにねじ込まれるとによって、前記柱接合部材１１が前記柱梁接合部材１０に接合され、
前記梁接合用箱形金物２７の少なくとも１つの側面に開口部２７ｃが形成され、
この開口部２７ｃから連結ボルト２５が前記梁接合用箱形金物２７の内部に挿入され、この連結ボルト２５が前記梁接合用箱形金物２７の前記一方の端壁部２７ｂを通して、前記受部１３ｂにねじ込まれるとによって、前記梁接合部材１２が前記柱梁接合部材１０に接合されていることを特徴とする。
【０００９】
請求項２に記載の発明によれば、柱接合用箱形金物１７の開口部１７ｃから挿入された連結ボルト２５を、柱接合用箱形金物１７の上端部壁１７ｂを通して、柱梁接合部材１０の受部１３ｄにねじ込むことによって、柱接合部材１１を柱梁接合部材１０に容易に接合できるとともに、梁接合用箱形金物２７の開口部２７ｃから挿入された連結ボルト２５を、梁接合用箱形金物２７の端壁部２７ｂを通して、柱梁接合部材１０の受部１３ｂにねじ込むことによって、梁接合部材１２を柱梁接合部材１０に容易に接合できる。
【００１０】
請求項３に記載の発明は、例えば図３、図１１〜図１３に示すように、請求項１または２に記載の柱梁接合構造において、
前記柱１の上端部に、連結ボルト５がその上端部を前記柱１の上端面から突出させるようにして挿入固定され、
前記連結ボルト５の上端部が前記柱接合用箱形金物１７の下端部壁１７ｂから当該柱接合用箱形金物１７の内部に挿入され、前記連結ボルト５にナット５ａを螺合して締め付けることによって、前記柱１が前記柱接合部材１１に接合され、
前記梁２の端部に、連結ボルト５がその端部を前記梁２の端面から突出させるようにして挿入固定され、
前記連結ボルト５の端部が前記梁接合用箱形金物２７の端部壁２７ｂから当該梁接合用箱形金物２７の内部に挿入され、前記連結ボルト５にナット５ａを螺合して締め付けることによって、前記梁２が前記梁接合部材１２に接合されていることを特徴とする。
【００１１】
請求項３に記載の発明によれば、柱１を柱接合部材１１に連結ボルト５とナット５ａによって容易に接合できとともに、梁２を梁接合部材１２に連結ボルト５とナット５ａによって容易に接合できる。
【００１２】
請求項４に記載の発明は、例えば図５、図７、図１３に示すように、請求項１〜３のいずれか一項に記載の柱梁接合構造において、
前記柱接合部材１１の前記連結部材１８は、前記柱接合用箱形金物１７の下面と面一となる接合面１８ｃを有しており、この接合面１８ｃが前記柱１の上端面に接合され、
前記梁接合部材１２の前記連結部材２８，２９は、前記梁接合用箱形金物２７の端面と面一となる接合面２８ｃ，２９ｃを有し、この接合面２８ｃ，２９ｃが前記梁２の端面に接合されていることを特徴とする。
【００１３】
請求項４に記載の発明によれば、柱接合部材１１の接合面１８ｃが柱１の上端面に接合され、梁接合部材１２の接合面２８ｃ，２９ｃが梁２の端面に接合されるので、柱１を柱接合部材１１により強固に接合できるとともに、梁２を梁接合部材１２により強固に接合できる。
【００１４】
請求項５に記載の発明は、例えば図４および図１３に示すように、請求項１〜４のいずれか一項に記載の柱梁接合構造において、
前記柱梁接合部材１０は、その８つの角部にそれぞれ直方体状の受ブロック１３を有し、
８個の前記受ブロック１３の外側を向く側面部は、前記柱梁接合部材１０の側面の四隅部に設けられた受部１３ｂを構成し、
前記柱梁接合部材１０の下の４つの受ブロック１３の下面部は、前記柱梁接合部材１０の下端面の四隅部に設けられた受部１３ｄを構成していることを特徴とする。
【００１５】
請求項５に記載の発明によれば、柱梁接合部材１０の８つの角部にそれぞれ設けられた受ブロック１３の側面部と下面部とによって、前記受部１３ｂ，１３ｄを構成しているので、受ブロック１３によって、柱梁接合部材１０の側面の受部１３ｂと柱梁接合部材１０の下端面の受部１３ｄとの双方を形成することができるとともに、当該受ブロック１３によって柱１と梁２を確実に支持することができる。
【発明の効果】
【００１６】
本発明によれば、柱と梁は、それぞれ柱接合部材と梁接合部材を介して柱梁接合部材にボルト接合されているので、柱と梁を容易かつ強固に接合することができる。
【図面の簡単な説明】
【００１７】
【図１】本発明の係る柱梁接合構造の一例を示すもので、その正面図である。
【図２】同、（ａ）は柱の横断面図、（ｂ）は梁の横断面図である。
【図３】同、柱材の先端部を示す分解斜視図である。
【図４】同、柱梁接合部材を示す斜視図である。
【図５】同、柱接合部材を示す斜視図である。
【図６】同、柱脚部材を示す斜視図である。
【図７】同、梁接合部材を示す斜視図である。
【図８】同、柱接合用箱形金物を示す斜視図である。
【図９】同、柱接合部材と柱脚部材が取り付けられた柱を示す正面図である。
【図１０】同、梁接合部材が取り付けられた梁を示す正面図である。
【図１１】同、柱梁接合部を示す平面図である。
【図１２】同、柱梁接合部を示す正面図である。
【図１３】同、柱梁接合部を示す正断面図である。
【図１４】同、同、柱梁接合部を示す斜視図である。
【発明を実施するための形態】
【００１８】
以下、図面を参照して本発明に係る柱梁接合構造の実施の形態について説明する。
図１は本発明の係る柱梁接合構造の一例を示す正面図である。
図１において、符号１は柱、符号２は梁を示す。左右に離間して配置された二本の柱１，１の下端部は基礎３に固定され、柱１，１の上端部間に前記梁２が架設され、柱１と梁２とが仕口部材４によって接合されている。前記基礎３は建物の外壁に沿って連続して設けられた布基礎であり、柱１，１が固定される部分は、他の部分より高く設定され、それぞれ４本のアンカーボルト２１が突設されている。
【００１９】
柱１は四角筒状のものであり、図２（ａ）に示すように、四隅に配置された４本の柱材１ａと、左右前後に隣り合う柱材１ａ，１ａ間に２枚重ねて設けられた構造用パネル１ｂ，１ｂとから構成されている。柱材１ａは構造用集成材で形成されているが、無垢の角材によって形成してもよい。
【００２０】
また、図３に示すように、柱材１ａの上端部には、４本の連結ボルト５がその上端部を柱材１ａの上端面から突出させるようにして挿入固定されている。柱材１ａの上端部には、装着部１ｃが形成されており、この装着部１ｃに金属製の補強キャップ６が被されている。装着部１ｃは柱材１ａの上端部外周を切削することによって形成されたものであり、柱材１ａと装着部１ｃとの間には若干の段差が形成されている。
前記補強キャップ６は、正方形状の平板部とこの平板部の縁部に略直角に折り曲げ形成された四角環状の環状部とから構成されており、平板部には４つの穴６ａが形成されている。このような補強キャップ６は、その平板部を装着部１ｃの上面に当接するとともに、環状部を装着部１ｃの外周側面に当接するようにして、装着部１ｃに被され、複数のビス７を平板部を通して装着部１ｃにねじ込むことによって、当該装着部１ｃに固定されている。
【００２１】
また、補強キャップ６を装着部１ｃに被せた状態において、前記連結ボルト５が穴６ａに挿通され、穴６ａから突出した状態となっている。
また、柱材１ａの下端部にも、上端部と同様にして、４本の連結ボルト５、補強キャップ６等が設けられている。
なお、連結ボルト５は、柱材１ａの端部に柱材１ａの軸方向に延在し、かつ柱材１ａの端面に開口する取付孔を形成し、この取付孔に接着剤を充填したうで、連結ボルト５の基端部を挿入することによって、柱材１ａにその端面から突出するようにして取り付けられている。
【００２２】
前記構造用パネル１ｂは框材を矩形枠状に組み立てて矩形枠を形成し、必要に応じてこの矩形枠内に補強桟材を組み付け、さらに矩形枠の両面に合板等の面材を貼着したものである。このような構造用パネル１ｂ，１ｂは２枚重ねてビスによって接合されている。また、構造用パネル１ｂ，１ｂの接合はビスに加えて接着剤を併用してもよい。
なお、構造用パネル１ｂと柱材１ａとの接合は接着剤および釘打ちによってなされている。
【００２３】
梁２は四角筒状のものであり、図２（ｂ）に示すように、四隅に配置された４本の梁材２ａと、左右に隣り合う梁材２ａ，２ａ間に２枚重ねて設けられた構造用パネル２ｂ，２ｂと、上下に隣り合う梁材２ａ，２ａ間に２枚重ねられて設けられた構造用パネル２ｃ，２ｃとから構成されている。梁材２ａは構造用集成材で形成されているが、無垢の角材によって形成してもよい。
また、構造用パネル２ｂ，２ｃは、前記構造用パネル１ｂと同様に、それぞれ框材を矩形枠状に組み立てて矩形枠を形成し、必要に応じてこの矩形枠内に補強桟材を組み付け、さらに、この矩形枠の両面に合板等の面材を貼着したものである。このような構造用パネル２ｂ，２ｂおよび構造用パネル２ｃ，２ｃはそれぞれ２枚重ねてビスによって接合されている。また、構造用パネル２ｂ，２ｂおよび２ｂ，２ｃの接合はビスに加えて接着剤を併用してもよい。
なお、構造用パネル２ｂ，２ｃと梁材２ａとの接合は接着剤および釘打ちによってなされている。
【００２４】
また、図１０および図１３に示すように、梁材２ａの両端部には、それぞれ４本の連結ボルト５がその一端部を梁材２ａの端面から突出させるようにして挿入固定されている。さらに、梁材２ａの端部には、柱材１ａと同様に、装着部が形成されており、この装着部に金属製の補強キャップ６が被されている。
補強キャップ６は、前記柱材１ａの装着部１ｃに装着された補強キャップ６と同様の構成のものであり、その平板部を装着部の表面に当接するとともに、環状部を装着部の外周側面に当接するようにして、装着部に被され、複数のビスを平板部を通して装着部にねじ込むことによって、当該装着部に固定されている。
また、補強キャップ６を装着部に被せた状態において、連結ボルト５が平板部に形成された穴に挿通され、この穴から突出した状態となっている。
【００２５】
前記仕口部材４は、図１、図１１〜図１４に示すように、柱梁接合部材１０と柱接合部材１１と梁接合部材１２とから構成されている。
柱梁接合部材１０は、柱１と梁２の延長上の交差部に配置される略直方体状の金物であり、図４に示すように、内部は空洞となっている。つまり、柱梁接合部材１０は、略四角筒状に形成されている。
【００２６】
柱梁接合部材１０は、その８つの角部にそれぞれ直方体状の受ブロック１３を有しており、上下に離間する受ブロック１３，１３が四角筒状の縦部材１４によって連結されており、前後左右にそれぞれ離間する受ブロック１３，１３が四角筒状の横部材１５によってそれぞれ連結されている。また、隣り合う縦部材１４，１４間には矩形状の板材１６が設けられており、この板材１６の縦縁部が縦部材１４に接合され、横縁部が横部材１５に接合されている。なお、板材１６の表面は縦部材１４および横部材１５の表面より内側に凹んでいる。また、受ブロック１３は、平面視における大きさが前記縦部材１４より大きくなっており、受ブロック１３は、その４つの側面を、縦部材１４の４つの側面とそれぞれ平行にして配置されている。さらに、受ブロック１３の４つの側面は、平面視において、縦部材１４の４つの側面より突出している。
【００２７】
上側の４つの受ブロック１３の上面部１３ａと、外側を向く２つの側面部１３ｂ，１３ｂとには、それぞれねじ穴１３ｃがそれぞれ形成されており、下側の４つの受ブロック１３の下面部１３ｄと、外側を向く２つの側面部１３ｂ，１３ｂとには、それぞれねじ穴１３ｃが形成されている。
そして、柱梁接合部材１０の下の４つの受ブロック１３の下面部１３ｄは、柱梁接合部材１０の下端面の四隅部に設けられた受部１３ｄを構成し、柱梁接合部材１０の８個の受ブロック１３の外側を向く側面部１３ｂは、柱梁接合部材１０の側面の四隅部に設けられた受部１３ｂを構成している。
【００２８】
前記柱接合部材１１は、柱梁接合部材１０の下端面に接合される金物であり、図５に示すように、前後左右に離間して配置された４つの柱接合用箱形金物１７と、これら柱接合用箱形金物１７，１７どうしを連結する４つの連結部材１８とによって四角形枠状に形成されている。
柱接合用箱形金物１７は、図８に示すように、四角筒状に形成された筒部材１７ａと、この筒部材１７ａの上下端面を塞ぐようにして当該筒部材１７ａの上下端にそれぞれ溶接等によって固定された矩形状の板部材１７ｂ，１７ｂとによって構成されている。筒部材１７ａの１つの側面には矩形状の開口部１７ｃが形成されている。また、上の板部材１７ｂの略中央部には貫通孔１７ｄが１つ形成されており、下の板部材１７ｂの四隅部にはそれぞれ貫通孔１７ｅが形成されている。なお、図８（ａ）は上の板部材１７ｂを上側にした状態を示し、図８（ｂ）は上の板部材１７ｂを下側にした状態、つまり図８（ａ）に示す柱接合用箱形金物１７を上下逆にした状態を示している。
このような柱接合用箱形金物１７は、図５に示すように、それぞれの開口部１７ｃを外側に向けた状態で前後左右に離間して配置され、隣り合う柱接合用箱形金物１７，１７が連結部材１８によって連結されている。
【００２９】
前記連結部材１８は、ウエブと上下のフランジを有しており、上のフランジ１８ａの上面は柱接合用箱形金物１７の上面とほぼ面一か若干低くなっており、下のフランジ１８ｂの下面は柱接合用箱形金物１７の下面と面一になっている。下のフランジ１８ｂは上のフランジ１８ａより幅が大きく形成されており、この下のフランジ１８ｂの下面１８ｃが前記柱１の上面に接合される接合面１８ｃとなっている。
【００３０】
このような柱接合部材１１は、図９、図１２〜図１４に示すように、柱１の上端面に以下のようにして接合されている。
すなわち、柱１の上端面の四隅部、言い換えると柱１の四隅部に位置する柱材１ａの上端面から突出する４本の連結ボルト５が、柱接合部材１１の柱接合用箱形金物１７の下面に形成された４つの貫通孔１７ｅにそれぞれ挿通されるとともに、柱材１ａの補強キャップ６の平板部が柱接合用箱形金物１７の下面に当接されたうえで、連結ボルト５にナット５ａが螺合されて締め付けられている。ナット５ａは柱接合用箱形金物１７の開口部１７ｃから挿入され、当該開口部１７ｃからレンチ等の工具を挿入し、この工具によって締め付けられている。
【００３１】
さらに、柱１の構造用パネル１ｂの上端面が前記連結部材１８の下のフランジ１８ｂの下面（接合面）１８ｃに当接されたうえで、この下のフランジ１８ｂに形成された多数の孔からビスが構造用パネル１ｂの上端面にねじ込まれている。
このようにして、柱材１ａの上端面と構造用パネル１ｂの上端面とがそれぞれ柱接合用箱形金物１７の下面と下のフランジ１８ｂの接合面１８ｃに接合され、これによって柱１の上端面が柱接合部材１１の下面に接合されている。
【００３２】
また、柱１の下端部には柱脚部材２０が接合されている。この柱脚部材２０は図６に示すように、前後左右に離間して配置された４つの箱形金物１７Ａと、これら箱形金物１７Ａ，１７Ａどうしを連結する４つの連結部材１８Ａとを備えた金物である。
箱形金物１７Ａは、前記柱接合用箱形金物１７と同様の構成であり、異なる点は柱接合用箱形金物１７より上下の寸法が長い点である。
連結部材１８Ａは、前記連結部材１８と同様の構成であり、異なる点は連結部材１８より上下の寸法が長い点である。
なお、箱形金物１７Ａと箱形金物１７とは上下の寸法を等しくしてもよく、連結部材１８Ａと連結部材１８とは上下の寸法を等しくしてもよい。
【００３３】
このような柱脚部材２０は、図１３に示すように、柱接合部材１１と上下逆にして配置され、柱１の柱材１ａの下端面から突出する４本の連結ボルト５が柱脚部材２０の箱形金物１７Ａの上面に形成された４つの貫通孔１７ｅ（図６参照）にそれぞれ挿通されるとともに、柱材１ａの補強キャップ６の平板部が箱形金物１７Ａの上面に当接されたうえで、連結ボルト５にナット５ａが螺合されて締め付けられている。
さらに、柱１の構造用パネル１ｂの下端面が前記連結部材１８Ａの上のフランジ１８ｂの上面に当接されたうえで、この上のフランジ１８ｂに形成された多数の孔からビスが構造用パネル１ｂの下端面にねじ込まれるとともに、フランジ１８ｂと構造用パネル１ｂの下端面とが接着剤で接着されている。
このようにして、柱材１ａの下端面と構造用パネル１ｂの下端面とがそれぞれ箱形金物１７Ａの上面と上のフランジ１８ｂの上面（接合面）１８ｃに接合され、これによって、柱１の下端面が柱脚部材２０の上面に接合されている。
【００３４】
また、柱脚部材２０は、基礎３の上面に設置されている。基礎（布基礎）３は鉄筋コンクリートで形成されており、この基礎３に突設されたアンカーボルト２１が箱形金物１７Ａの下面の貫通孔に挿通され、この挿通されたアンカーボルト２１にナット２１ａが螺合されて締め付けられている。
このようにして、柱１の下端面が柱脚部材２０を介して基礎３の上面に接合されている。
【００３５】
また、柱１が接合された柱接合部材１１は以下のようして柱梁接合部材１０に接合されている。
すなわち、図１３に示すように、柱接合部材１１は、各柱接合用箱形金物１７の上端部壁（板部材）１７ｂを、柱梁接合部材１０の下端面の受部１３ｄに当接したうえで、上端部壁１７ｂと受部１３ｄとをボルト接合することによって、柱梁接合部材１０に接合されている。
具体的には、柱接合用箱形金物１７の側面に形成された開口部１７ｃから連結ボルト２５が柱接合用箱形金物１７の内部に挿入され、この連結ボルト２５が柱接合用箱形金物１７の上端部壁１７ｂの貫通孔１７ｄを通して、受ブロック１３の受部１３ｄに形成されたねじ穴１３ｃにねじ込まれるとによって、柱接合部材１１が柱梁接合部材１０に接合されている。なお、連結ボルト２５の頭部と上端部壁１７ｂとの間には、座金が介在されている。
【００３６】
前記梁接合部材１２は、柱梁接合部材１０の側面に接合される金物であり、図７に示すように、上下左右に離間して配置された４つの梁接合用箱形金物２７と、これら梁接合用箱形金物２７，２７どうしを連結する４つの連結部材２８，２９とを備えている。
梁接合用箱形金物２７は、前記柱接合用箱形金物１７とほぼ同様に、四角筒状に形成された筒部材２７ａと、この筒部材２７ａの左右端面を塞ぐようにして当該筒部材２７ａの左右端にそれぞれ溶接等によって固定された矩形状の板部材２７ｂ，２７ｂとによって構成されている。筒部材２７ａの１つの側面には矩形状の開口部２７ｃが形成されている。また、左の板部材２７ｂの略中央部より上方位置には貫通孔２７ｄが１つ形成されており、右の板部材２７ｂの四隅部にはそれぞれ貫通孔２７ｅが形成されている。
このような梁接合用箱形金物２７は、それぞれの開口部２７ｃを外側（上側と下側）に向けた状態で上下左右に離間して配置され、隣り合う梁接合用箱形金物２７，２７が連結部材２８，２９によって連結されている。
【００３７】
前記連結部材２８は、水平に配置されるものであり、ウエブと左右のフランジを有しており、左のフランジ２８ａの表面は梁接合用箱形金物２７の左側面と略面一か若干低くなっており、右のフランジ２８ｂの表面は梁接合用箱形金物２７の右側面と面一になっている。右のフランジ２８ｂは左のフランジ２８ａより幅が大きく形成されており、この下のフランジ２８ｂの表面２８ｃが前記梁２の端面に接合される接合面２８ｃとなっている。
前記連結部材２９は、鉛直に配置されるものであり、ウエブと左右のフランジを有しており、左のフランジ２９ａの表面は梁接合用箱形金物２７の左側面と略面一か若干低くなっており、右のフランジ２９ｂの表面は梁接合用箱形金物２７の右側面と面一になっている。右のフランジ２９ｂは左のフランジ２９ａより幅が大きく形成されており、この下のフランジ２９ｂの表面２９ｃが前記梁２の端面に接合される接合面２９ｃとなっている。
【００３８】
このような梁接合部材１２は、図１０、図１１〜図１４に示すように、梁２の端面に以下のようにして接合されている。
すなわち、梁２の端面の四隅部、言い換えると、梁２の四隅部に位置する梁材２ａの端面から突出する４本の連結ボルト５が梁接合部材１２の梁接合用箱形金物２７の端面に形成された４つの貫通孔にそれぞれ挿通されるとともに、梁材２ａの補強キャップ６の平板部が梁接合用箱形金物２７の端面に当接されたうえで、連結ボルト５にナット５ａが螺合されて締め付けられている。ナット５ａは梁接合用箱形金物２７の開口部２７ｃから挿入され、当該開口部２７ｃからレンチ等の工具を挿入し、この工具によって締め付けられている。
さらに、梁２の構造用パネル２ｂ，２ｃの端面が前記連結部材２８，２９の右のフランジ２８ｂ，２９ｂの表面（接合面）２８ｃ，２９ｃに当接されたうえで、この右のフランジ２８ｂ，２９ｂに形成された多数の孔からビスが構造用パネル２ｂ，２ｃの端面にねじ込まれている。
このようにして、梁材２ａの端面と構造用パネル２ｂ，２ｃの端面とがそれぞれ梁接合用箱形金物２７の端面と右のフランジ２８ｂ，２９ｂの接合面２８ｃ，２９ｃに接合され、これによって、梁２の端面が梁接合部材１２の側面に接合されている。
【００３９】
また、梁２が接合された梁接合部材１２は以下のようして柱梁接合部材１０に接合されている。
すなわち、梁接合部材１２は、各梁接合用箱形金物２７の端部壁（板部材）２７ｂを、柱梁接合部材１０の側面の受部１３ｂに当接したうえで、端壁部２７ｂと受部１３ｄとをボルト接合することによって、柱梁接合部材１０に接合されている。
具体的には、梁接合用箱形金物２７の側面に形成された開口部２７ｃから連結ボルト２５が梁接合用箱形金物２７の内部に挿入され、この連結ボルト２５が梁接合用箱形金物２７の端壁部２７ｂの貫通孔２７ｄを通して、受ブロック１３の受部１３ｂに形成されたねじ穴１３ｃにねじ込まれるとによって、梁接合部材１２が柱梁接合部材１０に接合されている。なお、連結ボルト２５の頭部と上端部壁１７ｂとの間には、座金が介在されている。
【００４０】
前記柱１および梁２には、図９および図１０に示すように、予め工場等において、柱接合部材１１、柱脚部材２０、梁接合部材１２が取り付けられたうえで、建築現場に搬入され、当該建築現場で、図１に示すように、柱１と梁２とが柱梁接合部材１０を介して接合されるとともに、柱１，１の下端部が柱脚部材２０，２０を介して基礎３に接合される。
２本の柱１の上端部間に梁２が配置され、柱１の上端部と梁２の端部とが、柱梁接合部材１０、柱接合部材１１、梁接合部材１２によって構成された仕口部材４によって接合されて、ラーメン構造となっている。
梁２の上面には、床パネル３０が設置されている。この床パネル３０は框材を矩形枠状に組み立て、この矩形枠の内部に補強桟材を組み付け、さらに、矩形枠の上面に合板等からなる面材を貼り付けたものである。
さらに、前記柱梁接合部材１０の上面には、（上の）柱接合部材１１が、柱梁接合部材１０の下面に接合されている下の柱接合部材１１と上下逆にして、かつ下の柱接合部材１１と同様にして接合されている。
また、上の柱接合部材１１には２階の柱１が、前記柱脚部材２０に１階の柱１を接合した同様の構造によって接合されている。
また、１階の柱１，１間には、構造用集成材または無垢の角材によって形成された間柱３１が柱脚部材２０を介して基礎３に接合され、この間柱３１の上端部が梁２の長手方向略中央部に接合されている。そして、この間柱３１と左側の柱１との間に耐力壁３２が配置され、この耐力壁が柱１、間柱３１、梁２、基礎３に接合されている。なお、間柱３１の下端部には、柱脚部材２０が前記柱材１ａと同様にして取り付けられている。
【００４１】
本実施の形態によれば、柱接合部材１１は、各柱接合用箱形金物１７の上端部壁１７ｂを柱梁接合部材１０の下端面の受部１３ｄに当接したうえで、上端部壁１７ｂと受部１３ｂとをボルト接合することによって、柱梁接合部材１０に接合され、柱１は、その上端面を柱接合用箱形金物１７の下端部壁１７ｂに当接したうえで、柱１の上端部と下端部壁１７ｂとをボルト接合することによって、柱接合部材１１に接合されているので、柱１を柱接合部材１１を介して柱梁接合部材１０に接合できる。
【００４２】
また、梁接合部材１２は、各梁接合用箱形金物２７の一方の端部壁２７ｂを柱梁接合部材１０の側面の受部１３ｂに当接したうえで、前記一方の端壁部２７ｂと受部１３ｂとをボルト接合することによって、柱梁接合部材１０に接合され、梁２は、その端面を梁接合用箱形金物２７の他方の端部壁２７ｂに当接したうえで、梁２の端部と他方の端部壁２７ｂとをボルト接合することによって、梁接合部材１２に接合されているので、梁２を梁接合部材１２を介して柱梁接合部材１０に接合できる。
このように、柱１と梁２は、それぞれ柱接合部材１１と梁接合部材１２を介して柱梁接合部材１０にボルト接合されているので、柱１と梁２を容易かつ強固に接合することができる。
【００４３】
また、柱接合用箱形金物１７の開口部１７ｃから挿入された連結ボルト２５を、柱接合用箱形金物１７の上端部壁１７ｂを通して、柱梁接合部材１０の受部１３ｄにねじ込むことによって、柱接合部材１１を柱梁接合部材１０に容易に接合できるとともに、梁接合用箱形金物２７の開口部２７ｃから挿入された連結ボルト２５を、梁接合用箱形金物２７の端壁部２７ｂを通して、柱梁接合部材１０の受部１３ｂにねじ込むことによって、梁接合部材１２を柱梁接合部材１０に容易に接合できる。
【００４４】
さらに、柱１の上端面から突出している連結ボルト５の上端部が柱接合用箱形金物１７の下端部壁１７ｂから当該柱接合用箱形金物１７の内部に挿入され、連結ボルト５にナットａを螺合して締め付けることによって、柱１が柱接合部材１１に接合され、梁２の端面から突出している連結ボルト５の端部が梁接合用箱形金物２７の端部壁２７ｂから当該梁接合用箱形金物２７の内部に挿入され、連結ボルト５にナット５ａを螺合して締め付けることによって、梁２が梁接合部材１２に接合されているので、柱１を柱接合部材１１に連結ボルト５とナット５ａによって容易に接合できとともに、梁２を梁接合部材１２に連結ボルト５とナット５ａによって容易に接合できる。
【００４５】
また、柱接合部材１１の接合面が柱１の上端面に接合され、梁接合部材１２の接合面が梁２の端面に接合されるので、柱１を柱接合部材１１により強固に接合できるとともに、梁２を梁接合部材１２により強固に接合できる。
また、柱梁接合部材１０の８つの角部にそれぞれ設けられた受ブロック１３の側面部と下面部とによって、前記受部１３ｂ，１３ｄを構成しているので、受ブロック１３によって、柱梁接合部材１０の側面の受部１３ｂと柱梁接合部材１０の下端面の受部１３ｄとの双方を形成することができるとともに、当該受ブロック１３によって柱１と梁２を確実に支持することができる。
【００４６】
なお、本実施の形態では、柱梁接合部材１０の下端面に柱接合部材１１を介して柱１を接合したが、これに加えて、柱梁接合部材１０の上端面に柱１と同様の構成の柱を接合してもよい。
この場合、この柱の下端部に柱脚部材２０を接合するか、あるいは、柱の下端部に前記柱接合部材１１の上下を逆にしたものを接合し、柱脚部材２０あるいは上下を逆にした柱接合部材１１を柱梁接合部材１０の上端面に接合すればよい。
【符号の説明】
【００４７】
１  柱
２  梁
４  仕口部材
５  連結ボルト
５ａ  ナット
１０  柱梁接合部材
１１  柱接合部材
１２  梁接合部材
１３  受ブロック
１３ｂ，１３ｄ  受部
１７  柱接合用箱形金物
１７ｃ  開口部
１８  連結部材
１８ｃ  接合面
２５  連結ボルト
２７  梁接合用箱形金物
２８，２９  連結部材
２８ｃ，２９ｃ  接合面
【図１】
0005734914.tif 000002
【図２】
0005734914.tif 000003
【図３】
0005734914.tif 000004
【図４】
0005734914.tif 000005
【図５】
0005734914.tif 000006
【図６】
0005734914.tif 000007
【図７】
0005734914.tif 000008
【図８】
0005734914.tif 000009
【図９】
0005734914.tif 000010
【図１０】
0005734914.tif 000011
【図１１】
0005734914.tif 000012
【図１２】
0005734914.tif 000013
【図１３】
0005734914.tif 000014
【図１４】
0005734914.tif 000015